(57)【要約】【課題】顕微撮像装置の対物レンズに対して試料容器を光軸方向及び光軸に直交する方向の３軸方向に簡単、かつ、迅速に位置調整することを可能にした容器保持具を提供すること。【解決手段】顕微撮像装置に設置或いは取り付け、試料容器の少なくとも一つの試料保持部に保持された試料の撮像或いは観察に使用される容器保持具１。試料容器５を収容する容器収容部材２と、顕微撮像装置の対物レンズに対して位置決めされる位置決め部４ｃを有し、容器収容部材に着脱自在に組み付けて試料容器を容器収容部材に対して位置決めする位置決め部材４とを備え、位置決め部材によって試料容器を対物レンズの光軸方向に位置決めすると共に、位置決め部によって試料容器を対物レンズの光軸に直交する方向に位置決めする。【選択図】        図１
2008009186.tif 000002
【特許請求の範囲】
【請求項１】
顕微撮像装置に設置或いは取り付け、試料容器の少なくとも一つの試料保持部に保持された試料の撮像或いは観察に使用される容器保持具であって、
前記試料容器を収容する容器収容部材と、
前記顕微撮像装置の対物レンズに対して位置決めされる位置決め部を有し、前記容器収容部材に着脱自在に組み付けて前記試料容器を前記容器収容部材に対して位置決めする位置決め部材と、
を備え、
前記位置決め部材によって前記試料容器を前記対物レンズの光軸方向に位置決めすると共に、前記位置決め部によって前記試料容器を前記対物レンズの光軸に直交する方向に位置決めすることを特徴とする容器保持具。
【請求項２】
前記容器収容部材は、底壁と、内周に雌ねじ部が形成された側壁とを有し、
前記位置決め部材は、前記雌ねじ部に螺合する雄ねじ部が外周に形成され、前記位置決め部が前記対物レンズの先端が係合すると共に、外部からの光を遮光して前記試料が発する光を前記対物レンズへ導く遮光孔である
ことを特徴とする請求項１に記載の容器保持具。
【請求項３】
前記遮光孔は、内周に雌ねじ部が形成され、
前記顕微撮像装置は、前記対物レンズのレンズホルダ外周に形成され、前記遮光孔の雌ねじ部に螺合する雄ねじ部を有する
ことを特徴とする請求項２に記載の容器保持具。
【請求項４】
顕微撮像装置に設置或いは取り付け、試料容器の少なくとも一つの試料保持部に保持された試料の撮像或いは観察に使用される容器保持具であって、
前記試料容器を収容する容器収容部材と、
前記容器収容部材に着脱自在に組み付けて前記試料容器を前記容器収容部材に対して位置決めする前記顕微撮像装置の対物レンズと、
を備え
前記対物レンズによって前記試料容器を光軸方向並びに光軸に直交する方向に位置決めすることを特徴とする容器保持具。
【請求項５】
前記容器収容部材は、底壁と、内面に雌ねじ部が形成された側壁とを有し、
前記対物レンズは、前記雌ねじ部に螺合する雄ねじ部が形成されていることを特徴とする請求項４に記載の容器保持具。
【請求項６】
前記容器収容部材は、前記底壁に前記顕微撮像装置との間の位置ずれを防止するずれ防止手段が設けられていることを特徴とする請求項２に記載の容器保持具。
【請求項７】
前記位置決め部材は、前記試料が発する光を所定位置に結像させる結像手段が前記遮光孔に設けられていることを特徴とする請求項２に記載の容器保持具。
【請求項８】
前記結像手段は、凸レンズ又は一端にマイクロレンズを有する複数の光ファイバ束であることを特徴とする請求項７に記載の容器保持具。
【請求項９】
前記結像手段は、焦点距離、拡大倍率或いは視野角の少なくとも一つを変更する変更機構を有していることを特徴とする請求項８に記載の容器保持具。
【請求項１０】
更に、前記試料の発する光を表示する表示手段を備えることを特徴とする請求項７に記載の容器保持具。
【請求項１１】
更に、加熱手段を備えることを特徴とする請求項１〜１０のいずれか一つに記載の容器保持具。
【請求項１２】
更に、前記試料の培養に必要な流体を前記試料容器に循環させる流体循環手段を備えることを特徴とする請求項１〜１０のいずれか一つに記載の容器保持具。
【発明の詳細な説明】
【技術分野】
【０００１】
本発明は、顕微撮像装置に設置或いは取り付け、試料容器に保持された試料の撮像或いは観察に使用する容器保持具に関するものである。
【背景技術】
【０００２】
従来、生化学分野や病理学分野において、例えば、生体試料を顕微撮像装置によって撮像或いは観察する場合、生体試料を保持した試料容器をステージに設置或いはステージに載せるベース部に取り付けて撮像等を行っている（例えば、特許文献１参照）。
【０００３】
【特許文献１】特開２００３−１０７３６４号公報
【発明の開示】
【発明が解決しようとする課題】
【０００４】
ところで、このような生体試料の撮像や観察に用いられる試料容器は、顕微撮像装置と光学的に結合させて試料容器内の試料を明瞭に撮像或いは観察するため、顕微撮像装置のステージに設置する都度、対物レンズに対してステージ面に沿った平面方向並びにステージ面に直交する光軸方向の位置調整を必要とする。しかし、この位置調整は、熟練を必要とするうえ調整に時間が掛かり、誰でも簡単にできるものではないという問題があった。しかも、複数の試料を長期間に亘って観察し、撮像する場合、顕微撮像装置は、複数の試料容器を順次交換しながらステージに設置しなければならないことがあり、平面方向並びに光軸方向の位置調整の作業が煩雑になるという問題があった。
【０００５】
本発明は、上記に鑑みてなされたものであって、顕微撮像装置の対物レンズに対して試料容器を光軸方向及び光軸に直交する方向の３軸方向に簡単、かつ、迅速に位置調整することを可能にした容器保持具を提供することを目的とする。
【課題を解決するための手段】
【０００６】
上述した課題を解決し、目的を達成するために、請求項１に係る容器保持具は、顕微撮像装置に設置或いは取り付け、試料容器の少なくとも一つの試料保持部に保持された試料の撮像或いは観察に使用される容器保持具であって、前記試料容器を収容する容器収容部材と、前記顕微撮像装置の対物レンズに対して位置決めされる位置決め部を有し、前記容器収容部材に着脱自在に組み付けて前記試料容器を前記容器収容部材に対して位置決めする位置決め部材と、を備え、前記位置決め部材によって前記試料容器を前記対物レンズの光軸方向に位置決めすると共に、前記位置決め部によって前記試料容器を前記対物レンズの光軸に直交する方向に位置決めすることを特徴とする。
【０００７】
また、請求項２に係る容器保持具は、上記の発明において、前記容器収容部材は、底壁と、内周に雌ねじ部が形成された側壁とを有し、前記位置決め部材は、前記雌ねじ部に螺合する雄ねじ部が外周に形成され、前記位置決め部が前記対物レンズの先端が係合すると共に、外部からの光を遮光して前記試料が発する光を前記対物レンズへ導く遮光孔であることを特徴とする。
【０００８】
また、請求項３に係る容器保持具は、上記の発明において、前記遮光孔は、内周に雌ねじ部が形成され、前記顕微撮像装置は、前記対物レンズのレンズホルダ外周に形成され、前記遮光孔の雌ねじ部に螺合する雄ねじ部を有することを特徴とする。
【０００９】
また、上述した課題を解決し、目的を達成するために、請求項４に係る容器保持具は、顕微撮像装置に設置或いは取り付け、試料容器の少なくとも一つの試料保持部に保持された試料の撮像或いは観察に使用される容器保持具であって、前記試料容器を収容する容器収容部材と、前記容器収容部材に着脱自在に組み付けて前記試料容器を前記容器収容部材に対して位置決めする前記顕微撮像装置の対物レンズと、を備え前記対物レンズによって前記試料容器を光軸方向並びに光軸に直交する方向に位置決めすることを特徴とする。
【００１０】
また、請求項５に係る容器保持具は、上記の発明において、前記容器収容部材は、底壁と、内面に雌ねじ部が形成された側壁とを有し、前記対物レンズは、前記雌ねじ部に螺合する雄ねじ部が形成されていることを特徴とする。
【００１１】
また、請求項６に係る容器保持具は、上記の発明において、前記容器収容部材は、前記底壁に前記顕微撮像装置との間の位置ずれを防止するずれ防止手段が設けられていることを特徴とする。
【００１２】
また、請求項７に係る容器保持具は、上記の発明において、前記位置決め部材は、前記試料が発する光を所定位置に結像させる結像手段が前記遮光孔に設けられていることを特徴とする。
【００１３】
また、請求項８に係る容器保持具は、上記の発明において、前記結像手段は、凸レンズ又は一端にマイクロレンズを有する複数の光ファイバ束であることを特徴とする。
【００１４】
また、請求項９に係る容器保持具は、上記の発明において、前記結像手段は、焦点距離、拡大倍率或いは視野角の少なくとも一つを変更する変更機構を有していることを特徴とする。
【００１５】
また、請求項１０に係る容器保持具は、上記の発明において、更に、前記試料の発する光を表示する表示手段を備えることを特徴とする。
【００１６】
また、請求項１１に係る容器保持具は、上記の発明において、更に、加熱手段を備えることを特徴とする。
【００１７】
また、請求項１２に係る容器保持具は、上記の発明において、更に、前記試料の培養に必要な流体を前記試料容器に循環させる流体循環手段を備えることを特徴とする。
【発明の効果】
【００１８】
本発明にかかる容器保持具は、位置決め部材によって試料容器を顕微撮像装置の対物レンズに対して光軸方向に位置決めすると共に、位置決め部によって前記試料容器を前記対物レンズに対して光軸に直交する方向に位置決めするので、試料容器を対物レンズに対して光軸方向及び光軸に直交する方向の３軸方向に簡単、かつ、迅速に位置調整することができる。
【発明を実施するための最良の形態】
【００１９】
（実施の形態１）
以下、本発明の容器保持具にかかる実施の形態１について、図１〜図１１を参照しつつ詳細に説明する。図１は、実施の形態１にかかる容器保持具を示す斜視図である。図２は、実施の形態１にかかる容器保持具で使用する容器収容部材の断面図である。図３は、実施の形態１にかかる容器保持具で使用する位置決め部材の斜視図である。図４は、実施の形態１にかかる容器保持具の組み付け状態を示す分解斜視図である。
【００２０】
容器保持具１は、図１に示すように、容器収容部材２と位置決め部材４とを備え、試料容器５に保持された試料を顕微撮像装置で撮像或いは観察する際に使用される。
【００２１】
容器収容部材２は、試料容器５を交換自在に収容するもので、図２及び図４に示すように、底壁２ａと側壁２ｂとを有し、底壁２ａと側壁２ｂとによって形成される空間に試料容器５を収容する。側壁２ｂは、上部に開口２ｃを有し、内面の高さ方向略中央まで雌ねじ部２ｄが形成されている。
【００２２】
位置決め部材４は、容器収容部材２に着脱自在に組み付けて試料容器５を容器収容部材２に対して位置決めする。位置決め部材４は、図１及び図３に示すように、円筒状の本体４ａの外周に雌ねじ部２ｄに螺合する雄ねじ部４ｂが形成され、容器保持具１外部からの光を遮光して試料容器５に保持された試料が発する生物発光や化学発光による光を顕微撮像装置へ導く遮光孔４ｃが中央に形成されている。遮光孔４ｃは、顕微撮像装置８の対物レンズ８ｂに対して位置決めする位置決め部となり、内面が黒色に塗装されている。
【００２３】
ここで、試料容器５は、内皿５ａに外皿５ｂが被せられた透明素材からなる容器（シャーレ）であり、内部に細胞等の生体試料が保持されている。
【００２４】
このように構成される容器保持具１は、図４に示すように、試料容器５を開口２ｃから容器収容部材２に収容した後、位置決め部材４を被せて雄ねじ部４ｂを雌ねじ部２ｄに螺合し、位置決め部材４を組み付ける。これにより、容器保持具１は、底壁２ａと位置決め部材４とによって試料容器５を挟み込み、試料容器５を容器収容部材２の底壁２ａに対して一定の位置に位置決めする。
【００２５】
このようにして試料容器５を位置決めした容器保持具１は、図５に示すように、顕微撮像装置８のステージ８ａ上の予め設定された位置に設置する。このとき、ステージ８ａと対物レンズ８ｂとは予め作動距離以上に離しておく。次に、レボルバ８ｃを操作して、図６に示すように、所望倍率の対物レンズ８ｂを容器保持具１の遮光孔４ｃ直上に移動する。そして、接眼レンズ８ｄによって像を見ながら微動焦点ハンドルを操作し、試料が発する光のピント合わせをした後、撮像する。
【００２６】
ここで、顕微撮像装置８は、ピント合わせをすることにより、対物レンズ８ｂ先端のテーパ部８ｅが、図７に示すように、遮光孔４ｃの上縁に当接する。このため、容器保持具１は、顕微撮像装置８のピント合わせに伴って対物レンズ８ｂが下降すると、遮光孔４ｃに係合したテーパ部８ｅによって位置決め部材４が対物レンズ８ｂの光軸に直交する方向に移動させられる。このため、遮光孔４ｃは、位置決め部材４、従って容器保持具１を光軸に直交する方向に位置決めする位置決め部となる。また、顕微撮像装置８は、予め低倍率の対物レンズ８ｂによってピント合わせをした後、高倍率の対物レンズ８ｂによってピント合わせをする。
【００２７】
このとき、同一寸法の試料容器５を用いれば、容器保持具１は、ステージ８ａ上に設置するだけで試料容器５を顕微撮像装置８の光軸方向において同一の位置に位置決めすることができる。従って、容器保持具１は、試料容器５が位置決め部材４によって対物レンズ８ｂの光軸方向及び光軸に直交する方向の３軸方向に位置決めされるので、試料容器５を対物レンズ８ｂの光軸方向及び光軸に直交する方向の３軸方向に簡単、かつ、迅速に位置調整することができ、試料が発する光の鮮明な像を観察し、撮像することができる。
【００２８】
ここで、容器保持具１は、図８に示すように、容器収容部材２の底壁２ａ下部外周に弾性リング３を設けておくとよい。弾性リング３は、図９に示すように、断面形状がＣ形の弾性体からなる位置ずれ防止手段であり、Ｃ形の部分が吸着部３ａとなっている。このため、容器保持具１は、ステージ８ａに設置すると、吸着部３ａがステージ８ａの上面に吸着し、顕微撮像装置８の光軸に直交する方向における位置ずれを防止することができる。ここで、ステージ８ａが磁性体からなる場合、容器保持具１は、弾性リング３に代えて、磁性ゴムやリング状の永久磁石を容器収容部材２の底壁２ａ下部に設けることによっても、顕微撮像装置８の光軸に直交する方向における位置ずれを防止することができる。
【００２９】
一方、位置決め部材４は、図１０に示すように、遮光孔４ｃに遮光雌ねじ部４ｄを形成してもよい。このようにすると、予め対物レンズ８ｂに遮光雌ねじ部４ｄに螺合する雄ねじ部を形成しておけば、容器保持具１は、図１１に示すように、顕微撮像装置８の対物レンズ８ｂに位置決め部材４をねじ止めにより着脱自在に取り付けることができる。このため、容器保持具１は、試料容器５が位置決め部材４によって対物レンズ８ｂの光軸方向及び光軸に直交する方向の３軸方向に位置決めされ、試料容器５の顕微撮像装置８に対する光学的な位置調整を簡単、かつ、迅速に行うことができる。
【００３０】
（実施の形態２）
次に、本発明の容器保持具にかかる実施の形態２について、図１２〜図１４を参照しつつ詳細に説明する。実施の形態１の容器保持具１は、位置決め部材４を使用していたが、実施の形態２の容器保持具１０は、位置決め部材として顕微撮像装置８の対物レンズ８ｂを使用している。図１２は、実施の形態２にかかる容器保持具を示す斜視図である。図１３は、実施の形態２にかかる容器保持具の組み付け状態を示す分解斜視図である。ここで、以下に説明する実施の形態においては、実施の形態１と同一の構成要素には同一の符号を付して説明している。
【００３１】
容器保持具１０は、図１２及び図１３に示すように、容器収容部材２と位置決め部材となる対物レンズ８ｂとを備えている。対物レンズ８ｂは、顕微撮像装置８のレボルバ８ｃに取り付ける雄ねじ部８ｆが一端に形成されている他、他端には容器収容部材２の雌ねじ部２ｄに螺合する雄ねじ部８ｇが形成されている。
【００３２】
従って、容器保持具１０は、図１４に示すように、雄ねじ部８ｆによって対物レンズ８ｂを顕微撮像装置８のレボルバ８ｃに取り付けるだけで、光軸方向及び光軸に直交する方向の３軸方向に位置決めされる。このため、容器保持具１０は、試料容器５の顕微撮像装置８に対する光学的な位置調整を簡単、かつ、迅速に行うことができる。この場合、容器保持具１０は、試料容器５の試料を観察又は撮像する際のピント合わせは、容器収容部材２を左右方向に回し、雄ねじ部８ｇとの螺合量を調節することによって行う。
【００３３】
（実施の形態３）
次に、本発明の容器保持具にかかる実施の形態３について、図１５〜図１８を参照しつつ詳細に説明する。実施の形態１の容器保持具１は、位置決め部材４が遮光孔４ｃを有していたが、実施の形態３の容器保持具１５は、遮光孔４ｃに集光レンズが設けられている。図１５は、実施の形態３にかかる容器保持具を示す断面図である。図１６は、実施の形態３にかかる容器保持具の変形例を示す斜視図である。図１７は、図１６の容器保持具で使用する光ファイバレンズを示す斜視図である。
【００３４】
容器保持具１５は、図１５に示すように、遮光孔４ｃに凸レンズを用いた集光レンズ６が設けられている。集光レンズ６は、試料容器５に保持された試料が発する生物発光や化学発光による光を顕微撮像装置８の物体側焦点に結像させる。このため、容器保持具１５は、顕微撮像装置８の焦点調整を行う上で、試料容器５の顕微撮像装置８に対する光学的な位置調整を簡単、かつ、迅速に行うことができる。このとき、容器保持具１５は、実施の形態１の容器保持具１と同様にして試料容器５を位置決め部材４によって対物レンズ８ｂの光軸方向及び光軸に直交する方向の３軸方向に位置決めする。
【００３５】
ここで、容器保持具１５は、図１６に示すように、集光レンズ６に代えて光ファイバレンズ７を使用してもよい。光ファイバレンズ７は、図１７に示すように、一端にマイクロレンズ７ｂを形成した光ファイバ７ａを複数束ねたもので、各光ファイバ７ａの他端が結像面Ｆとなる。このため、光ファイバレンズ７は、実施の形態１で説明した３軸方向の位置決めが可能なように、結像面Ｆが光ファイバレンズ７に位置する焦点距離となるマイクロレンズ７ｂを使用する。光ファイバレンズ７は、駆動機構によるピント合わせに伴って遮光孔４ｃに沿って移動され、図１８に示すように、遮光孔４ｃ内に没し、焦点距離、拡大倍率或いは視野角の少なくとも一つを変更する。このため、光ファイバレンズ７を用いると、容器保持具１５は、試料容器５の顕微撮像装置８に対する光学的な位置調整をより簡単、かつ、より迅速に行うことができるうえ、試料容器５に保持された試料が発する光の鮮明な像を顕微撮像装置８によってより観察し、撮像することができる。ここで、図１６に示す容器保持具１５は、光ファイバレンズ７が遮光孔４ｃから突出した状態に描いてあるが、ピント合わせをした状態では結像面Ｆが遮光孔４ｃに没しており、以下に説明する図面においても同様である。
【００３６】
（実施の形態４）
次に、本発明の容器保持具にかかる実施の形態４について、図１９〜図２１を参照しつつ詳細に説明する。実施の形態１の容器保持具１は、容器収容部材２と位置決め部材４とを備えていたが、実施の形態４の容器保持具２０は、更に試料容器５に保持された試料が発する光を受光し、受光した光を表示する表示デバイスを備えている。図１９は、実施の形態４にかかる容器保持具を示す斜視図である。図２０は、図１９の容器保持具を手に持って表示デバイスを操作する様子を示す斜視図である。図２１は、図１９に示す容器保持具の使用状態を示す斜視図である。
【００３７】
容器保持具２０は、図１６に示す容器収容部材２及び光ファイバレンズ７を有する位置決め部材４に表示デバイス２１が被着されている。表示デバイス２１は、位置決め部材４の本体４ａに位置決めされて容器収容部材２の側壁２ｂ上部に載置される。表示デバイス２１は、本体２１ａに設けた受光手段が光ファイバレンズ７の結像面Ｆに当接し、試料容器５に保持された試料が発する生物発光や化学発光による光を受光手段によって光ファイバレンズ７を介して受光し、その発光像を画面２１ｂに表示する。また、表示デバイス２１は、発光像を画面２１ｂに表示する操作を行う操作ボタンと、試料が発する光の光量の異常を告知する警報ランプを有している。このとき、光ファイバレンズ７は、各光ファイバ７ａの他端が結像面Ｆとなっている。従って、表示デバイス２１は、受光手段が受光した光をそのまま画面２１ｂに表示することができる。
【００３８】
このため、容器保持具２０は、図２０に示すように、操作者が手に持って表示デバイス２１の前記操作ボタンを操作し、試料容器５に保持された試料が発する光を画面２１ｂに表示させることができる。
【００３９】
一方、容器保持具２０は、試料容器５に保持された試料が発する光を顕微撮像装置８によって観察又は撮像するときには、図２１に示すように、ステージ８ａに設置した後、表示デバイス２１を外し、微動焦点ハンドルを操作して対物レンズ８ｂを微動させ、試料が発する光のピント合わせをする。容器保持具２０は、試料容器５に保持された試料が発する光を光ファイバレンズ７が顕微撮像装置８の物体側焦点に結像させ、位置決め部材４が試料容器５を対物レンズ８ｂの光軸方向及び光軸に直交する方向の３軸方向に位置決めするので、試料容器５の顕微撮像装置８に対する光学的な位置調整を簡単、かつ、迅速に行うことができる。
【００４０】
（実施の形態５）
次に、本発明の容器保持具にかかる実施の形態５について、図２２を参照しつつ詳細に説明する。実施の形態１の容器保持具１は、容器収容部材２と位置決め部材４とを備えていたが、実施の形態５の容器保持具２５は、更に保温手段を備えている。図２２は、実施の形態５にかかる容器保持具を示す斜視図である。
【００４１】
容器保持具２５は、図２２に示すように、図１に示す容器収容部材２及び位置決め部材４の上下に加熱装置２６，２７が設けられている。加熱装置２６は、位置決め部材４上に被着され、本体２６ａの上部に透明部材からなる窓２６ｂを有し、内部には窓２６ｂを加熱するヒータが設けられている。加熱装置２７は、容器収容部材２の下面に取り付けられ、収容した試料容器５内に保持された試料を所定の培養温度に保持する。ここで、加熱装置２６，２７は、共に加熱温度を所定温度に設定する制御手段とスイッチとを有している。
【００４２】
従って、容器保持具２５は、試料容器５内に保持された試料を所定の温度に保持した状態で試料を培養することができる。そして、試料が発する光を顕微撮像装置８によって観察又は撮像するときには、容器保持具２５は、加熱装置２６，２７を外してステージ８ａに設置する。そして、容器保持具２５は、実施の形態１の容器保持具１と同様に、試料容器５を位置決め部材４によって対物レンズ８ｂの光軸方向及び光軸に直交する方向の３軸方向に位置決めするので、試料容器５の顕微撮像装置８に対する光学的な位置調整を簡単、かつ、迅速に行うことができ、試料が発する光の鮮明な像の観察や撮像をすることができる。
【００４３】
ここで、試料を培養する際、容器保持具２５は、加熱装置２７によって試料を所定の培養温度に加熱すると、試料容器５内の液体が蒸発して生ずる水蒸気が窓２６ｂに結露する。このため、容器保持具２５は、加熱装置２６，２７を装着した状態での観察等が妨げられることがある。従って、このような場合、容器保持具２５は、加熱装置２６のスイッチをオンし、ヒータによって窓２６ｂを加熱し、結露を防止する。
【００４４】
（実施の形態６）
次に、本発明の容器保持具にかかる実施の形態６について、図２３及び図２４を参照しつつ詳細に説明する。実施の形態５の容器保持具２５は、容器収容部材２と位置決め部材４とを備えていたが、実施の形態６の容器保持具３０は、更に流体循環装置を備えている。図２３は、実施の形態６にかかる容器保持具を示す斜視図である。図２４は、実施の形態６にかかる容器保持具で使用する試料容器を示す斜視図である。
【００４５】
容器保持具３０は、図２３に示すように、図１に示す容器収容部材２及び位置決め部材４に流体循環装置３１が設けられている。流体循環装置３１は、試料の培養に必要な流体を試料容器３５に循環させるもので、制御手段を備えた本体３１ａと容器収容部材２との間に試料容器３５に薬液を供給する薬液供給チューブ３１ｂ、試料容器３５に二酸化炭素等の気体を供給する気体供給チューブ３１ｃ及び供給した薬液や気体を回収する回収チューブ３１ｄが接続されている。
【００４６】
また、試料容器３５は、図２４に示すように、内皿３５ａに外皿３５ｆが被せられた透明素材からなる容器であり、内部に細胞等の生体試料が保持されている。内皿３５ａは、側壁に薬液注入孔３５ｂ、気体注入孔３５ｃ及び注入した薬液や気体を回収する回収孔３５ｄが形成されている。
【００４７】
従って、容器保持具３０は、顕微撮像装置８のステージ８ａに設置した状態で、薬液供給チューブ３１ｂや気体供給チューブ３１ｃによって容器収容部材２に薬液や気体を供給する。これにより、容器収容部材２に供給された薬液や気体は、底壁２ａと側壁２ｂとによって形成される空間に収容された試料容器３５の薬液注入孔３５ｂや気体注入孔３５ｃから試料容器３５内へ導入され、生体試料に薬液や気体を供給した後、生体試料が排出した老廃物と共に回収孔３５ｄから排出され、回収チューブ３１ｄによって流体循環装置３１の本体３１ａに回収される。容器保持具３０は、このようにして流体循環装置３１と試料容器３５との間に薬液や気体を循環させて試料容器３５内に保持された試料を培養する。
【００４８】
そして、培養中の生体試料が発する光を顕微撮像装置８によって観察又は撮像するときには、容器保持具３０は、顕微撮像装置８の微動焦点ハンドルを操作して対物レンズ８ｂを微動させ生体試料が発する光のピント合わせをすればよい。このとき、容器保持具３０は、実施の形態１の容器保持具１と同様に、位置決め部材４が試料容器５を対物レンズ８ｂの光軸方向及び光軸に直交する方向の３軸方向に位置決めする。このため、容器保持具３０は、試料容器５の顕微撮像装置８に対する光学的な位置調整を簡単、かつ、迅速に行うことができ、生体試料が発する光の鮮明な像の観察や撮像をすることができる。
【図面の簡単な説明】
【００４９】
【図１】実施の形態１にかかる容器保持具を示す斜視図である。
【図２】実施の形態１にかかる容器保持具で使用する容器収容部材の断面図である。
【図３】実施の形態１にかかる容器保持具で使用する位置決め部材の斜視図である。
【図４】実施の形態１にかかる容器保持具の組み付け状態を示す分解斜視図である。
【図５】図１に示す容器保持具を顕微撮像装置に設置した使用状態を示す斜視図である。
【図６】対物レンズの位置を容器保持具の遮光孔に調節した状態を示す斜視図である。
【図７】顕微撮像装置のピント合わせにより対物レンズが遮光孔の上縁に当接した状態を示す断面図である。
【図８】容器収容部材に弾性体からなる位置ずれ防止手段を設けた容器保持具の第一の変形例を示す斜視図である。
【図９】図８の位置ずれ防止手段を直径上で切断した要部断面図である。
【図１０】位置決め部材の遮光孔に雌ねじ部を形成した容器保持具の第二の変形例を示す斜視図である。
【図１１】図１０に示す容器保持具を顕微撮像装置に取り付けた使用状態を示す斜視図である。
【図１２】実施の形態２にかかる容器保持具を示す斜視図である。
【図１３】実施の形態２にかかる容器保持具の組み付け状態を示す分解斜視図である。
【図１４】図１２に示す容器保持具を顕微撮像装置に取り付けた使用状態を示す斜視図である。
【図１５】実施の形態３にかかる容器保持具を示す断面図である。
【図１６】実施の形態３にかかる容器保持具の変形例を示す斜視図である。
【図１７】図１６の容器保持具で使用する光ファイバレンズを示す斜視図である。
【図１８】図１６に示す容器保持具の使用状態を示す斜視図である。
【図１９】実施の形態４にかかる容器保持具を示す斜視図である。
【図２０】図２０は、図１９の容器保持具を手に持って表示デバイスを操作する様子を示す斜視図である。
【図２１】図１９に示す容器保持具の使用状態を示す斜視図である。
【図２２】実施の形態５にかかる容器保持具を示す斜視図である。
【図２３】実施の形態６にかかる容器保持具を示す斜視図である。
【図２４】実施の形態６にかかる容器保持具で使用する試料容器を示す斜視図である。
【符号の説明】
【００５０】
１                容器保持具
２                容器収容部材
２ａ              底壁
２ｂ              側壁
２ｃ              開口
２ｄ              雌ねじ
３                弾性リング
３ａ              吸着部
４                位置決め部材
４ａ              本体
４ｂ              雄ねじ
４ｃ              遮光孔
４ｄ              雌ねじ部
５                試料容器
５ａ              内皿
５ｂ              外皿
６                集光レンズ
７                光ファイバレンズ
７ａ              光ファイバ
７ｂ              マイクロレンレンズ
８                顕微撮像装置
８ａ              ステージ
８ｂ              対物レンズ
８ｃ              レボルバ
８ｄ              接眼レンズ
８ｅ              テーパ部
８ｆ，８ｇ        雄ねじ部
１０，１５        容器保持具
２０              容器保持具
２１              表示デバイス
２１ａ            本体
２１ｂ            画面
２５              容器保持具
２６，２７        加熱装置
３０              容器保持具
３１              流体循環装置
３１ａ            本体
３１ｂ            薬液供給チューブ
３１ｃ            気体供給チューブ
３１ｄ            回収チューブ
３５              試料容器
３５ａ            内皿
３５ｂ            薬液注入孔
３５ｃ            気体注入孔
３５ｄ            回収孔
３５ｆ            外皿
Ｆ                結像面
【図１】
2008009186.tif 000003
【図２】
2008009186.tif 000004
【図３】
2008009186.tif 000005
【図４】
2008009186.tif 000006
【図５】
2008009186.tif 000007
【図６】
2008009186.tif 000008
【図７】
2008009186.tif 000009
【図８】
2008009186.tif 000010
【図９】
2008009186.tif 000011
【図１０】
2008009186.tif 000012
【図１１】
2008009186.tif 000013
【図１２】
2008009186.tif 000014
【図１３】
2008009186.tif 000015
【図１４】
2008009186.tif 000016
【図１５】
2008009186.tif 000017
【図１６】
2008009186.tif 000018
【図１７】
2008009186.tif 000019
【図１８】
2008009186.tif 000020
【図１９】
2008009186.tif 000021
【図２０】
2008009186.tif 000022
【図２１】
2008009186.tif 000023
【図２２】
2008009186.tif 000024
【図２３】
2008009186.tif 000025
【図２４】
2008009186.tif 000026